(57)【特許請求の範囲】
【請求項１】
全体を筐体の内部に取り込んだセット位置でデータの読出し／書込みが行なわれる第１のカードメディアと、一部を筐体の外部に突出したセット位置でデータの読出し／書込みが行なわれる第２のカードメディアと、光学的にデータの記録／再生が行なわれるディスクメディアとを対象として、メディア間でデータの処理を行なうことが可能なデータ処理装置において、
第１のカードメディアが前記セット位置にセットされていることを検出する第１のカード検出手段と、
第２のカードメディアが前記セット位置にセットされていることを検出する第２のカード検出手段と、
カードメディアとディスクメディアの間でデータのコピーを行なう際に操作すべき保存釦と、
保存釦の操作に応じて、コピー元のメディアとコピー先のメディアの間でデータのコピーを行なうコピー制御手段
とを具え、コピー制御手段は、第１及び第２のカード検出手段によって第１及び第２のカードメディアがそれぞれのセット位置に同時にセットされていることが検出されたとき、第２のカードメディアを優先して、データのコピーを実行することを特徴とする複数メディアを対象とするデータ処理装置。
【請求項２】
コピー制御手段は、第１のカード検出手段によって第１のカードメディアのみがセット位置にセットされていることが検出されたときは、第１のカードメディアとディスクメディアの間でデータのコピーを実行し、第２のカード検出手段によって第２のカードメディアのみがセット位置にセットされていることが検出されたときは、第２のカードメディアとディスクメディアの間でデータのコピーを実行する請求項１に記載のデータ処理装置。
【請求項３】
保存釦によってカードメディアからディスクメディアへのデータのコピーが指令されたとき、コピー制御手段は、コピー元となるカードメディアの容量とコピー先となるディスクメディアの残容量とを比較して、ディスクメディアの残容量がカードメディアの容量に満たないと判断したとき、容量不足の警告を表示せしめる請求項１又は請求項２に記載のデータ処理装置。
【請求項４】
コピー制御手段は、第２のカードメディアを対象とするデータのコピーが終了した後、該カードメディアが筐体から抜き出された状態で、第１のカードメディアを対象とするコピーを実行する請求項１乃至請求項３の何れかに記載のデータ処理装置。
【発明の詳細な説明】
【０００１】
【発明の属する技術分野】
本発明は、コンパクトフラッシュ(Compact Flash(登録商標)；以下、ＣＦカードという)や、スマートメディア(Smart Media(登録商標)；以下、ＳＭカードという)等の比較的小容量のカードメディアと、光磁気ディスク等の比較的大容量のディスクメディアとを対象として、メディア間でデータの処理を行なうことが可能なデータ処理装置に関するものである。
【０００２】
【従来の技術】
従来、デジタルカメラにおいては、撮影によって得られた画像データを記録するために、数十ＭＢ程度の容量を有する小型のメモリカードが用いられており、カメラ本体に設けられたメモリカードコネクターにメモリカードを差し込んだ状態で、該メモリカードに複数枚の静止画や動画のデータを記録することが可能である。
【０００３】
しかしながら、１枚のメモリカードに記録出来る画像の枚数は限られており、多量の静止画を保存するには、多数枚のメモリカードが必要であるため、メモリカードの管理が煩雑となるばかりでなく、多量の静止画の中から所望の静止画を検索する場合、メモリカードを頻繁に差し替える必要があり、操作が煩雑である問題があった。
【０００４】
そこで、出願人は、メモリカードの装填が可能であって、ユーザによる保存釦の操作に応じて、該メモリカードに記録されている全ての画像データを読み出して、内蔵せるＣＤ−Ｒ(Compact Disc-recordable)に記録することが出来る電子アルバム装置を開発した(特開2000-311106号[G06F12/00]参照)。
該電子アルバム装置においては、デジタルカメラの記録メディアがＣＦカードである場合とＳＭカードである場合を考慮して、ＣＦカードとＳＭカードの２種類のカードメディアをセットすることが可能であり、任意の何れか一方のカードメディアとＣＤ−Ｒの間でデータのコピーを行なうことが出来る。
該電子アルバム装置によれば、例えば６４０ＭＢの容量を有するＣＤ−Ｒに対して、メモリカード約１０枚分の静止画を書き込むことが出来るので、多量の静止画を対象とする一括管理が可能となる。
【０００５】
【発明が解決しようとする課題】
ところで、屋外でのデジタルカメラを用いた撮影によって１枚のカードメディアが画像データで満杯となった場合に、該カードメディアの画像データを上述の如き電子アルバム装置によってＣＤ−Ｒ等の大容量ディスクメディアにコピーすることが出来れば、複数枚のカードメディアを持ち歩く必要がなく、便利である。そこで、電子アルバム装置を携帯可能に小型化することが検討されている。
【０００６】
しかしながら、電子アルバム装置においては、携帯可能な小型の筐体に、２枚のメモリカードを対象として書込み／読出しを行なうための装置と、１枚のディスクメディアを対象として記録／再生を行なうための装置とを、コンパクトに内蔵する必要があり、３種類のメディアを完全に筐体内部に取り込んで、それぞれのセット位置にセットする構造では、小型化が困難である。
【０００７】
そこで出願人は、ＣＦカードについては、静電破壊を防止するために、カード全体を筐体の内部に取り込んでデータの書込み／読出しを行なう必要があるが、ＳＭカードについては、静電破壊の虞が少ないので、カードの端部に設けられたデータ入出力部のみを筐体内に収容すれば、データの書込み／読出しが可能であることに着目し、ＳＭカードは、その一部を筐体の外部に突出させた位置でデータの書込み／読出しを行なう構造を採用した。これによって、筐体が小型化されることになる。
【０００８】
ところが、上述の構造においては、ＳＭカードに対するデータの書込み／読出しの期間、カードの一部が筐体の外部へ突出した状態となるので、その突出部に大きな外力が加わると、カードが破壊される虞があり、外力の作用に対する安全性に問題が生じる。
そこで本発明の目的は、外力の作用に対する安全性を大きく低下させることなく小型化を図ることが出来るデータ処理装置を提供することである。
【０００９】
【課題を解決する為の手段】
本発明に係る複数メディアを対象とするデータ処理装置は、全体を筐体の内部に取り込んだセット位置でデータの読出し／書込みが行なわれる第１のカードメディアと、一部を筐体の外部に突出したセット位置でデータの読出し／書込みが行なわれる第２のカードメディアと、光学的にデータの記録／再生が行なわれるディスクメディアとを対象として、メディア間でデータの処理を行なうことが可能なものである。
該データ処理装置は、
第１のカードメディアが前記セット位置にセットされていることを検出する第１のカード検出手段と、
第２のカードメディアが前記セット位置にセットされていることを検出する第２のカード検出手段と、
カードメディアとディスクメディアの間でデータのコピーを行なう際に操作すべき保存釦と、
保存釦の操作に応じて、コピー元のメディアとコピー先のメディアの間でデータのコピーを行なうコピー制御手段
とを具えている。
又、前記コピー制御手段は、第１及び第２のカード検出手段によって第１及び第２のカードメディアがそれぞれのセット位置に同時にセットされていることが検出されたとき、第２のカードメディアを優先して、データのコピーを実行する。
【００１０】
上記本発明の複数メディアを対象とするデータ処理装置において、コピー制御手段は、第１のカード検出手段によって第１のカードメディアのみがセット位置にセットされていることが検出されたときは、保存釦の操作に応じて、第１のカードメディアとディスクメディアの間でデータのコピーを実行する。
又、コピー制御手段は、第２のカード検出手段によって第２のカードメディアのみがセット位置にセットされていることが検出されたときは、保存釦の操作に応じて、第２のカードメディアとディスクメディアの間でデータのコピーを実行する。
更に又、コピー制御手段は、第１及び第２のカード検出手段によって第１及び第２のカードメディアがそれぞれのセット位置に同時にセットされていることが検出されたときは、保存釦の操作に応じて、第２のカードメディアを優先して、該カードメディアとディスクメディアの間でデータのコピーを実行する。
【００１１】
２枚のカードメディアが同時にセットされている場合において、先ず第１のカードメディアを対象とするデータのコピーが行なわれた後に第２のカードメディアを対象とするデータのコピーが行なわれる構成では、第２のカードメディアは、その一部を筐体から外部に突出した状態で、第１のカードメディアを対象とするデータのコピーが終了するまで待機せねばならず、外力の作用に対して危険な状態が長く続くことになるが、上記本発明の構成では、先ず第２のカードメディアを対象とするデータのコピーが行なわれた後に第１のカードメディアを対象とするデータのコピーが行なわれるので、第２のカードメディアを対象とするデータのコピーが終了した直後に、該カードメディアを筐体から抜き出すことによって、外力に対して危険な状態から短時間で脱却することが出来る。
【００１２】
具体的構成においては、保存釦によってカードメディアからディスクメディアへのデータのコピーが指令されたとき、コピー制御手段は、コピー元となるカードメディアの容量とコピー先となるディスクメディアの残容量とを比較して、ディスクメディアの残容量がカードメディアの容量に満たないと判断したとき、容量不足の警告を表示せしめる。
【００１３】
該具体的構成によれば、カードメディアからディスクメディアへのデータコピーの際に、コピー先となるディスクメディアの残容量がコピー元となるカードメディアの容量に満たないときは、その旨の警告が表示され、容量が足りているときに限って、コピーが実行されるので、容量不足によってコピーが中断することはない。
【００１４】
【発明の効果】
本発明に係る複数メディアを対象とするデータ処理装置によれば、筐体からカードメディアの一部を突出させた状態で該カードメディアに対するデータの書込み／読出しを行なう構成の採用によって、装置の小型化が図られると共に、該カードメディアについては、他のカードメディアよりも書込み／読出しを優先して行なうことにより、外力の作用による危険性が低くなって、装置及びカードメディアの安全が保たれる。
【００１５】
【発明の実施の形態】
以下、本発明を電子アルバム装置に実施した形態につき、図面に沿って具体的に説明する。
本発明に係る電子アルバム装置は、図１に示す如く、携帯可能な小型の筐体(１)を具え、該筐体(１)の前面には、ＣＦカード挿入口(12)とＳＭカード挿入口(13)が開設されており、それぞれＣＦカード(２)とＳＭカード(３)を挿入することが出来る。ＣＦカード(２)は、ＣＦカード挿入口(12)へ挿入することによって、筐体(１)内にカード全体が収容されて、所定のデータ書込み／読出し位置(図示省略)にセットされる。ＳＭカード(３)は、ＳＭカード挿入口(13)へ挿入することによって、図５の如くその一部が筐体(１)から外部へ突出した状態で、所定のデータ書込み／読出し位置(図示省略)にセットされる。
【００１６】
又、筐体(１)には、図１に示すディスク取出しレバー(20)の操作によって鎖線で示す如く開くカンガルーポケット式の蓋(11)が配備され、蓋(11)を開いた状態で、蓋(11)の裏側に設けられたホルダー(図示省略)へ光磁気ディスク(４)を装填した後、蓋(11)を閉じることによって、該光磁気ディスク(４)を所定の記録／再生位置にセットすることが出来る。
【００１７】
筐体(１)の表面中央部には、種々の情報を表示するためのディスプレイ(14)と、カードメディアとディスクメディアの間でデータのコピーを行なう際に操作すべき保存釦(15)と、ディスプレイ(14)に表示された複数の動作の中から１つの動作を設定する際に操作すべきセット釦(16)と、複数の動作の中から１つの動作を選択する際に操作すべき選択釦(19)と、選択した動作を取り消す際に操作すべき取消し釦(17)とが配備されている。
又、筐体(１)の側面には、電源スイッチ(18)が配備されている。
【００１８】
上記電子アルバム装置においては、ＣＦカード(２)やＳＭカード(３)に、予めデジタルカメラで撮影した静止画や動画のデータが書き込まれており、これらの画像データを光磁気ディスク(４)にコピーして蓄積することが出来る。
【００１９】
図２は、上記電子アルバム装置の機器構成を表わしており、主要回路として、所定の制御動作を実行するマイクロコンピュータ(５)と、マイクロコンピュータ(５)との間で通信を行ないつつ所定の信号処理を実行するＡＳＩＣ(51)とが装備されている。
ＡＳＩＣ(51)には、光磁気ディスク(４)を駆動するディスクドライブ装置(62)と、ＣＦカード(２)が差し込まれるＣＦカードコネクター(６)と、ＳＭカード(３)が差し込まれるＳＭカードコネクター(61)が接続されると共に、パーソナルコンピュータ等の外部機器を接続するためのＵＳＢコネクター(63)やＩＥＥＥ１３９４コネクター(64)が接続されている。
又、ＡＳＩＣ(51)には、種々のデータ処理に利用されるメモリ(52)が接続されている。
【００２０】
マイクロコンピュータ(５)には、ＣＦカード(２)を検出するためのカード検出器(７)と、ＳＭカード(３)を検出するためのカード検出器(71)と、前述の各種操作釦からなるキー入力装置(10)と、前述のディスプレイ(14)とが接続されている。
又、電源となる電池(54)の電力を各回路ブロックへ供給するための電源回路(53)が装備され、マイクロコンピュータ(５)によって電力供給動作が制御されている。
【００２１】
上記電子アルバム装置においては、筐体(１)内に光磁気ディスク(４)がセットされている状態で、ユーザが、画像データの書き込まれているＣＦカード(２)を筐体(１)のＣＦカード挿入口(12)へ挿入し、或いは画像データの書き込まれているＳＭカード(３)を筐体(１)のＳＭカード挿入口(13)に挿入し、保存釦(15)を操作すると、図３及び図４に示す手続きによって、ＣＦカード(２)から光磁気ディスク(４)へ、或いはＳＭカード(３)から光磁気ディスク(４)へ、データのコピーが行なわれる。
【００２２】
即ち、先ず図３のステップＳ１にて、前記カード検出器(７)(71)からの検出信号に基づいて、ＳＭカード(３)のみがセットされているか、ＣＦカード(２)のみがセットされているか、或いは、ＳＭカード(３)とＣＦカード(２)の両方が同時にセットされているかを判別する。
ＳＭカード(３)のみがセットされていると判別されたときは、ステップＳ２に移行して、ＳＭカード(３)をコピー元として光磁気ディスク(４)へのコピーを実行する。ＣＦカード(２)のみがセットされていると判別されたときは、ステップＳ３に移行して、ＣＦカード(２)をコピー元として光磁気ディスク(４)へのコピーを実行する。又、ＳＭカード(３)とＣＦカード(２)の両方がセットされていると判別されたときは、ステップＳ４に移行して、ＳＭカード(３)をコピー元として光磁気ディスク(４)へのコピーを実行する。
【００２３】
各カード(３)(２)から光磁気ディスク(４)へのコピーに際しては、図４に示す如く、先ずステップＳ１１にてフォーマットが所定の方式に従って正常に行なわれているかどうかをチェックし、ステップＳ１２にてノー(異常)と判断されたときは、ステップＳ１３にてエラー表示を行なう。
これに対し、ステップＳ１２にてイエス(正常)と判断されたときは、ステップＳ１４に移行して、コピー元のカードメディアの容量Ａ(データ量)を計測し、ステップＳ１５では、光磁気ディスク(４)の残容量Ｂを計測する。
【００２４】
次に、ステップＳ１６では、前記保存釦(15)が押下されたかどうかを判断し、イエスと判断されたとき、ステップＳ１７に移行して、光磁気ディスク(４)の残容量Ｂからコピー元のカードメディアの容量Ａを減算して、データ残容量に余裕があるかどうかを判断する。
ここで、ノーと判断されたときは、ステップＳ１８にて、容量不足の表示を行ない、イエスと判断されたときは、ステップＳ１９に移行して、コピー元のカードメディアからデータを読み出し、該データを光磁気ディスクに記録する(セーブ処理)。
【００２５】
上記手続きによれば、ＳＭカード(３)のみがセットされているときは、該ＳＭカード(３)から光磁気ディスク(４)へのデータコピーが行なわれ、ＣＦカード(２)のみがセットされているときは、該ＣＦカード(２)から光磁気ディスク(４)へのデータコピーが行なわれる。
ＳＭカード(３)とＣＦカード(２)の両方が同時にセットされているときは、ＳＭカード(３)が優先されて、ＳＭカード(３)から光磁気ディスク(４)へのデータコピーが行なわれる。その後、ＳＭカード(３)を筐体(１)から抜き出して、保存釦(15)を押下することによって、ＣＦカード(２)から光磁気ディスク(４)へのデータコピーが行なわれる。
【００２６】
従って、ＳＭカード(３)がセットされたまま、ＣＦカード(２)から光磁気ディスク(４)へのデータコピーが行なわれることはなく、これによって、ＳＭカード(３)がその一部を筐体(１)から外部へ突出したままとなる期間が可及的に短縮されて、外力の作用によってＳＭカード(３)が破損する危険性は低くなる。
【００２７】
上述の如く、本発明の電子アルバム装置によれば、筐体(１)からＳＭカード(３)の一部を突出させた状態で該ＳＭカード(３)に対するデータの書込み／読出しを行なう構成の採用によって、装置の小型化が図られると共に、該ＳＭカード(３)については、ＣＦカード(２)よりも書込み／読出しを優先して行なうことにより、外力の作用による危険性が低くなって、装置及びＳＭカード(３)の安全が保たれる。
【図面の簡単な説明】
【図１】本発明に係る電子アルバム装置の外観を示す斜視図である。
【図２】該電子アルバム装置の機器構成を示すブロック図である。
【図３】カードメディアからディスクメディアへのコピー処理の手続きを表わすフローチャートである。
【図４】コピー処理の具体的手続きを表わすフローチャートである。
【図５】ＳＭカードのセット状態を示す斜視図である。
【符号の説明】
(１)  筐体
(11)  蓋
(12)  ＣＦカード挿入口
(13)  ＳＭカード挿入口
(14)  ディスプレイ
(15)  保存釦
(４)  光磁気ディスク
(２)  ＣＦカード
(３)  ＳＭカード
(５)  マイクロコンピュータ
(51)  ＡＳＩＣ
(７)  カード検出器
(71)  カード検出器
【図１】
0004010784.tif 000002
【図２】
0004010784.tif 000003
【図３】
0004010784.tif 000004
【図４】
0004010784.tif 000005
【図５】
0004010784.tif 000006